(57)【要約】【課題】カッター刃の刃折作業を効率良く行い、ケース内に折り取った刃を収容する刃折ケースを提供する。【解決手段】本発明の刃折ケースは、カッター刃を挿通する挿入口をカッター刃の折溝と平行するように配置し、下側の刃受材に上側の刃折板を回転可能に取り付けた刃折部材を設け、刃折板の回転により挿通されたカッター刃に曲げ力を加え折溝から折り取るものであり、刃折板は凸部を備え、刃折板を回転させる操作手段として押下板を設け、回転した刃折板を戻すバネ材を配する。【選択図】図１
2020058754.tif 000002
【特許請求の範囲】
【請求項１】
カッター刃に形成された複数の折溝に沿って刃先を折り取り、折り取った刃先を収容する刃折ケースであって、挿入口は、下側の刃受材に上側の刃折板を回転可能に取り付けた刃折部材を設け、刃折板の回転により挿通されたカッター刃に曲げ力を加え折り取り、刃折板を回転させる操作手段として押下板を設け、回転させた刃折板を戻すバネ材を配したことを特徴とする刃折ケース。
【請求項２】
カッター刃を挿通する挿入口をカッター刃の折溝と平行するように配置し、刃折板は刃受材よりずらして取り付け、挿通したカッター刃の折溝と刃受材の位置を目視によって確認することができることを特徴とする請求項１記載の刃折ケース
【請求項３】
刃受材と刃折板の両端に回転部材を固着し本体ケース側部に回転可能に取り付け、片方の回転部材に凸部を備え、回転部材を回転させる操作手段として押下板を設け、回転した回転部材を戻すバネ材を配したことを特徴とする刃折ケース。
【請求項４】
カッター刃を挿通する挿入口をカッター刃の折溝と平行するように配置し、刃受材と刃折板をずらして両端の回転部材に取り付け、挿通したカッター刃の折溝と刃受材の位置を目視によって確認することができることを特徴とする請求項３の刃折ケース。
【請求項５】
押下板は、反転を自在とするもので、使用時は刃折板を回転させる操作手段とし、非使用時は、挿入口の蓋を兼ねることを特徴とする請求項１、請求項２、請求項３、請求項４記載の刃折ケース。
【発明の詳細な説明】
【発明の詳細な説明】
【技術分野】
【０００１】  本発明は、折る刃タイプのカッターナイフの刃を折るときの押下力の軽減と折った後の刃を収容する刃折ケースに関するものである。
【背景技術】
【０００２】  折る刃タイプのカッターナイフの刃は、長手方向に沿って平行に複数の折溝が角度を付けて形成されている。カッターナイフは、よく切れるナイフであるが、その切れ味は、それほど長持ちしないものであり、切れ味の悪くなった刃先を折溝に沿って折り取れば、刃先が新しくなり常に切れ味の良いカッターナイフとして使用できるものである。【０００３】  従来、刃先を折り取る手段としては、刃折ケース側面に設けた貫通孔に刃先を挿通し、片方の手でケースを持ち、もう片方の手でカッターナイフを持って、折溝に沿って曲げ力を加え折り取り収容するものであった。
【先行技術文献】
【特許文献】
【０００４】
【特許文献１】特許２００７−２５２４９４号公報
【発明の概要】
【発明が解決しようとする課題】
【０００５】  上記の従来例において、折る刃タイプのカッターナイフの刃を折り取る作業は、若干の恐怖心を持つものであった。  これは、刃折ケースの側面に形成した貫通孔に刃先を折溝まで挿通し、片方の手でケース、もう片方の手でカッターナイフを持って、折溝に沿って曲げ力を加え折り取る。しかし、カッター刃自体の硬さと弾力性が、ある程の度強い力を必要とし、更に、角度を付けて形成された折溝が、曲げ力を加える力加減を難しくするものであった。  本発明は、上記の欠点を取り除き、効率良く安全にカッター刃を折り取り収容する刃折ケースを提供するものである。
【発明を解決するための手段】
【０００６】  本発明は、以下の特徴を備えた刃折ケースである。  本発明の刃折ケースは、カッター刃に形成された複数の折溝に沿って刃先を折り取り、折り取った刃先を収容する刃折ケースである。  挿入口は、カッター刃の折溝に平行するように配置され、下側の刃受材に上側の刃折板を回転可能に取り付けた刃折部材を設け、刃折板の回転により挿通されたカッター刃の刃先に曲げ力を加え折溝から折り取るものであり、刃折板は凸部を備え、刃折板を回転させる操作手段として押下板を設け、回転した刃折板を戻すバネ材を配する。
【０００７】  刃折部材は、刃受材と刃折板をずらして取り付け、上部に透明上面天板を設け、挿通するカッター刃の折溝と刃受材の位置を透明上面天板越に確認できるようにする。  また、刃折板の凸部を押下板の元部で押下することにより、押下板の押下する力を刃折板で増幅して挿通したカッター刃に曲げ力を加え折り取るものである。
【発明の効果】
【０００８】  上記の構成を備える本発明は、刃受材と刃折板をずらして取り付けることで、挿入口より挿通したカッター刃の折溝を透明板越に確認しながら刃受材に合わせられるので、折溝に効率よく曲げ力を加えることができる。押下板の元部で刃折板の凸部を押下することによって、押下板の押下力を刃折板で増幅し、小さい押下力でも折溝に加わる曲げ力は大きくなって容易に折り取ることができる。  また、透明上面天板が防護壁となり、恐怖心を軽減し折り取った刃先は、挿入口から飛散すること無く確実にケースに収容する。
【図面の簡単な説明】
【０００９】
【図１】本発明の斜視図である。
【図２】本発明の非使用時の斜視図である。
【図３】本発明の刃折部材の斜視図である。
【図４】本発明のカッター刃挿入口の一部断面斜視図である。
【図５】本発明の刃折部材の断面図である。
【図６】本発明のカッター刃挿入口の平面図である。
【図７】本発明のカッター刃を挿通した状態の縦断面図である。
【図８】本発明のカッター刃を折り取った状態の縦断面図である。
【図９】本発明の他の実施例の刃折部材の斜視図である。
【発明を実施するための形態】
【第１の実施の形態】
【００１０】  本発明の第１の実施の形態は、図を参照にしつつ説明する。  図１は、本発明の斜視図であって、挿入口よりカッター刃を挿通した状態である。  本体ケース１は、横長の箱状のものであって、上面の一部にカッター３０の挿入口２を設ける。カッター刃３０の折溝３１は、角度を付けて形成されているため、挿入口２は、挿通するカッター刃３０の折溝３１と平行するように角度を付けて配置し、刃折部材２０を設ける。  挿入口２手前の上面板１０ｂと、挿入口２上部には透明上面天板１０ａを設け、透明上面天板１０ａを挟んで反転を自在とする押下板４を挿入口２上部設ける。  透明上面天板１０ａは、透明素材を使用し内部を見える構造としたもので、挿入口２上部から後方全面、あるいは、挿入口２上部の一部に使用し、他は、透明素材以外のものを使用するものであってもよい。
【００１１】  図２は、非使用時の斜視図である。押下板４は、反転を自在とするもので、刃折作業時に刃折部材２０を回転させる面と、反対面に挿入口２の蓋を兼ねる挿入口止め板４０ｄを備え、非使用時に挿入口２手前側の上面板１０ｂの上部に倒しておくものである。
【００１２】  挿入口２は、刃受材２１と刃折板２２で構成する刃折部材２０を設ける。図３で示すように、刃受材２１は円柱状の形状でカッター刃３０を折り取るときの支点となり、刃折板２２は、上部に凸部２３と両端に支持腕２４を備えるもので、刃受材２１に両端の支持腕２４を回転自在に取り付け、カッター刃３０を折り取るため刃折板２２の回転により、刃先に曲げ力を加えるもので、図４で示すように、挿入するカッター刃３０の折溝３１と平行するように刃受材２１の両端を本体ケース１側面１１に固着し、挿入口２上部の透明上面天板１０ａに形成した開口部１０１より、突出させた凸２３部の手前に反転自在とする押下板４を設ける。
【００１３】  図５、図６で示すように、刃折部材２０は、刃受材２１に対して刃折板２２をカッター刃３０の挿通方向の先側にずらして取り付け、刃受材２１と刃折板２２の重なりを無くし、挿通したカッター刃３０の折溝３１と刃受材２１の位置を確認できるようにする。  図７、図８で示すように、切れ味の悪くなったカッター刃３０の刃先３０ａを刃受材２１と刃折板２２の間に挿通し、カッター刃３０の折溝３１を刃受材２１に合わせ押下板４によって凸部２３を押下することで、刃折板２２に下向きの力が加わり挿通されたカッター刃３０の刃先３０ａに曲げ力を加え折溝３１から折り取るものである。  また、刃折板２２の凸部２３は、押下板４元部４０ｂで押下することにより押下力を増幅させるものである。
【００１４】  押下板４は、反転を自在とするもので押下板４の取り付け部を反転軸４０ａとし、これを支点に反対側の押下部４０ｃを力点とし凸部２３を作用点とする。押下板４と凸部２３の間隔が近づくほど、同じ押下力でも刃折板２２がカッター刃３０に加える曲げ力は大きくなるものである。
【００１５】  挿入口２は、カッター刃３０の折溝３１と平行にするように設けることから、刃折板２２の凸部２３は、カッター刃３０挿入方向の先側の端部に位置することが望ましい。  ようするに、押下板４は凸部２３の手前に設け、その間隔は近く、カッター刃３０の挿入方向に対して、反転軸４０ａを９０度とすることから押下板４の反転軸４０ａは、カッター刃３０の折溝３１と平行するように設けた挿入口２の先側部で交差し、挿入口２の大半が押下板４の手前側になるので、カッター刃３０を挿入すれば上方から、透明上面天板１０ａ越しにカッター刃３０の折溝３１と、刃受材２１を確認することができる。
【００１６】  透明上面天板１０ａは、挿入口２上部の手前まで被せ、その先端に押さえ部材２６を設ける。  そうすることで、挿通したカッター刃３０の刃先３０ａに曲げ力を加えると、図７で示すように、カッター刃３０刃先は下側に押され、刃受材２１が支点となり反対側のカッター本体３が持ち上がるのを押さえるものである。  そして、挿入口上部を若干被せた透明上面天板１０ａが折刃３０ｂの飛散防止するものである。
【００１７】  また、押さえ部材２６の位置は、刃受材２１との間隔を開けすぎると、カッター刃３０は押さえ部材２６の下側を通すため挿入口２に挿通しづらくなるので、間隔をあまり開けることなく、カッター刃３０の折溝３１と刃受材２１の位置を目視によって確認できて、カッター刃３０に曲げ力を加えたとき、反対側のカッター刃本体３の持ち上がりを防止できるだけの間隔があればよい。
【００１８】  押下板４は、反転を自在とするもので、使用時に凸部２３を押下する面と、もう片方面は、非使用時に挿入口２手前側に倒すため、挿入口２を塞ぐ挿入口止め板４０ｄを設ける。  押下板４の大きさは、図１、図２で示す本体ケース１の形状では、本体ケース１上面の約半分のものを使用時と非使用時に反転して使い分けるが、押下機能と挿入口２を塞ぐ機能があれば大きさを限定するものではなく、あるいは、本体ケース１を他の形状とするものでは、押下４の大きさ、形状は変化するものであってもよい。
【００１９】  刃折部材２０は、非使用時の透明上面天板１０ａと刃折板２２が平行状態にあるときを刃折部材２０の初期位置とする。  挿通したカッター刃は、刃折板２２を回転させることで折り取り、折り取った後、回転した刃折板２２をバネ材２５等の反発力により、刃折板２２を透明上面天板１０ａと平行状態の刃折部材２０を初期位置に戻し、非使用時は、常に初期位置を維持するものである。
【００２０】  本体ケース１が他の形状であって、各面の組み合わせ、挿入口２の位置によっては、刃折部材２０の初期位置も変化するものである。  バネ材２５は、コイル状の頭部２５ａ本の脚部２５ｂを備え、コイル状の頭部２５ａを刃受け部材２１に通し、片方の脚部２５ｂを本体側面１１で支持し、もう片方の脚部２５ｂを刃折板２２に取り付け支持する。  バネ材２５は、可動した刃折部材２０を初期位置に戻し、維持することを目的とするためバネ材２５の種類、形状を限定するものではなく、他の形状のバネ材、他の弾性部材を用いてもよい。
【００２１】  本体ケース内側の収容室１ａは、折り取った刃の収容部となり、本体ケース１側面１１の一部に折り取った折刃３０ｂを取り出す開閉蓋１２を設け、透明上面天板１０ａから中を確認し、ある程度溜まったら開閉蓋１２を開き取り出し廃棄すればよい。  収容室を上下２段に仕切り上段に折刃３０ｂを収容する収容室１ａ、下段に替刃用の未使用のカッター刃３０を収容する収容室１ｂとするものであってもよい。開閉蓋１２は、上下格段に設ける。
【００２２】  刃受材２１は、円柱状に限定するものではなく、刃折板２２を刃受材２１に取り付ける他に、刃受材２１と刃折板２２を別々に本体ケース１側面１１、あるいは、底面１３に取り付けるものであってもよい。
【００２３】  これを使用するには、非使用時に挿入口２上部に倒した押下板４を反転し、凸部２３の上部に配置すると挿入口２が開放され、透明上面天板１０ａ越しに刃受材２１の位置を確認することができる。
【００２４】  片方の手で切れ味の悪くなった古いカッター刃３０を出したカッター本体３を持ち、もう片方の手で本体ケース１を持つ、あるいは、任意の位置に置いて抑える方法でもよい。  カッター刃３０は、押さえ部材２６の下側を通し挿入口２に挿入させて、刃受材２１とカッター刃３０の折溝３１の位置を合わせる。  刃受材２１と上部の刃折板２２は、ずらしてあるので透明上面天板１０ａ越しに刃受材２１と折溝３１の位置の確認を容易にするものである。  そして、凸部２３を押下板４で押下することで押下力が増幅され、回転をする刃折板２２がカッター刃３０の折溝３１に沿って曲げ力を加え折り取るものである。  折り取った折先３０ｂは、落下して収容室１ａに収容され、ある程度溜まったら開閉蓋１２を開けて取り出して破棄すればよい。
【第２の実施の形態】
【００２５】  図９は、他の実施例の刃折部材２００であって、挿入口２は、第１の実施の形態と同様に挿通するカッター刃３０の折溝３１と平行するように配置し、刃折板２２０と刃受板２１０の両端に回転部材２３０を設け、本体ケース側面１１に回転部材２３０を取り付ける。
【００２６】  カッター刃３０挿入方向の先側の回転部材２３０に凸部２３３を設け、透明上面天板１０ａの開口部１０１より突出させた凸部２３３の手前に反転自在の押下板４を設ける。
【００２７】  刃受板２１０と刃折板２２０の間にカッター刃３０を挿入し、押下板４によって凸部２３３を押下すれば、回転部材２３０の回動力をテコの原理により増幅するものである。よって、刃受板２１０がカッター刃３０の折溝３１の真裏面を上方に、刃折板２２０はカッター刃３０の表面の折溝３１の刃先を下方に曲げ力を加え折り取るものである。  この場合も、刃受板２１０と刃折板２２０を若干ずらすことでカッター刃３０の折溝３１を確認することができる。
【００２８】  刃受板２１０と刃折板２２０は、挿入するカッター刃３０と平行状態を初期位置とし、刃を折るため可動した刃受板２１０と刃折板２２０を初期位置に戻すため、バネ材、あるいは、弾性材を用いてもよい。
【００２９】  これを使用するには、第１の実施の形態と同様である。
【符号の説明】
【００３０】１    本体ケース１０ａ透明上面天板１０ｂ上面板２    挿入口２０  刃折部材２１  刃受材２２  刃折板２３  凸部２４  支持腕２５  バネ材３    カッター刃本体３０  カッター刃３１  折溝４    押下板
【図１】
2020058754.tif 000003
【図２】
2020058754.tif 000004
【図３】
2020058754.tif 000005
【図４】
2020058754.tif 000006
【図５】
2020058754.tif 000007
【図６】
2020058754.tif 000008
【図７】
2020058754.tif 000009
【図８】
2020058754.tif 000010
【図９】
2020058754.tif 000011